(57)【要約】【課題】レンズ交換式の撮像装置において、レンズ以外の光学部品を本体部に装着してライブビューを行いたい場合に、分かり易い操作を提供する。【解決手段】レンズ交換式のカメラにおいて、モードダイヤルの操作により設定された動画モードでは自動的にライブビューが開始する。カメラは、レンズが本体部に装着されていない状態で撮像素子を保護するためにライブビューを終了させた場合、所定の操作部材によってライブビューを開始できる旨のメッセージを表示する。【選択図】図３
2010219999.tif 000002
【特許請求の範囲】
【請求項１】
画像を表示装置に表示させるライブビューの機能を有するレンズ交換式の撮像装置であって、
ライブビューを手動で開始させるための操作部材と、
モードを選択するためのモード選択部材と、
前記モード選択部材によって選択されたモードに応じて自動的にライブビューを開始させ、本体部の状態の検知に応じて自動的にライブビューを終了させるように制御を行う制御手段を備え、
前記制御手段はレンズが本体部に装着されていない状態の検知に応じてライブビューを終了させた場合、ライブビューを開始させない状態で、前記操作部材によってライブビューを開始できる旨を前記表示装置に表示させることを特徴とする撮像装置。
【請求項２】
レンズマウントに装着された交換レンズの電子接点により該レンズの装着の有無を判定するための検知手段を備え、
前記制御手段はレンズが本体部に装着されていないと判定した場合に前記ライブビューを終了させて撮像素子を保護することを特徴とする、請求項１記載の撮像装置。
【請求項３】
撮像素子の周囲温度を検出する温度検出手段を備え、該温度検出手段により検出された温度が基準温度を超えたと前記制御手段が判定した場合にライブビューを終了させ、前記温度検出手段により検出された温度が前記基準温度以下になるまでの間、前記操作部材の操作によるライブビューの開始を禁止することを特徴とする、請求項１又は２に記載の撮像装置。
【請求項４】
電源投入及び遮断の操作を行うための電源操作部材を備え、
前記制御手段は、レンズが本体部に装着されていない状態の検知に応じてライブビューを終了させた場合、前記操作部材又は前記電源操作部材又は前記モード選択部材による操作だけを受け付けることを特徴とする、請求項１から３のいずれか１項に記載の撮像装置。
【請求項５】
動画記録の開始及び終了の操作を行うための操作部材を備え、
前記制御手段は、前記モード選択部材によって動画モードが選択された状態においてライブビューの開始要求があった時点で動画の記録中であるか否かを判定し、動画の記録中であると判定した場合に動画記録を終了させてライブビューへと戻すことを特徴とする、請求項１から３のいずれか１項に記載の撮像装置。
【請求項６】
画像を表示装置に表示させるライブビューの機能を有するレンズ交換式の撮像装置の制御方法であって、
選択されたモードに応じて自動的にライブビューを開始させ、本体部の状態の検知に応じて自動的にライブビューを終了させるステップと、
レンズが本体部に装着されていない状態の検知に応じてライブビューを終了させた場合、ライブビューを開始させない状態で、操作部材によってライブビューを開始できる旨を前記表示装置に表示させるステップを有することを特徴とする撮像装置の制御方法。
【発明の詳細な説明】
【技術分野】
【０００１】
本発明は、自動的にライブビューを開始する撮影モードを有し、撮像素子の保護のためにライブビューを終了する機能及び動画記録機能を備えた撮像装置とその制御方法に関するものである。
【背景技術】
【０００２】
近年、静止画を撮影するレンズ交換式デジタルカメラにおいて、ライブビューでの撮影機能を追加したものが知られている。一眼レフカメラでは、例えば特許文献１に開示されるように、レンズ交換時にライブビューを行ったのでは撮像素子が露出してしまうので、これを保護する目的でライブビューを終了させることが提案されている。
【０００３】
オリンパス社製のE-300、E-420(登録商標)等のカメラにおいて、ライブビューを行っているときに電源供給を断っても、次回に電源を投入したときに自動的にライブビュー状態へと復帰するものがある。また、このカメラではレンズ交換時にライブビューを終了させるため、レンズマウントのロック解除ボタンをユーザが操作すると、ライブビューの終了制御が行われる。
【先行技術文献】
【特許文献】
【０００４】
【特許文献１】特開２００６−３１３２５０号公報
【発明の概要】
【発明が解決しようとする課題】
【０００５】
ところで、上記のようにレンズ交換時にライブビューを終了させると、レンズマウントを介してレンズとカメラ本体との通信を電子接点で行うシステムの場合に以下の問題が生じる。
例えば、レンズ通信を行えないアクセサリをレンズマウントに装着した場合、この状態とレンズ無しの状態との区別がつかないため、例えばレンズマウントアダプタで、電子接点のない古いレンズを取り付けた際にライブビューを開始できなくなる。
【０００６】
また、一眼レフカメラでは通常は光学ファインダを利用するようになっており、ライブビューを開始するにはそのための操作を撮影者が熟知していることを要する。従来、ボタン操作をきっかけにライブビューを始めるものがあったが、ライブビューの延長で動画記録を可能にしたカメラでは、ライブビューの開始操作を行ってからでないと動画記録が出来ない。つまり動画記録を行うためにはライブビューを開始させる操作を行ってから、動画記録を開始する操作を行わねばならないので繁雑である。
【０００７】
そこでカメラの撮影モードに、絵文字でムービーカメラのイメージを表示しておき、撮影モードを動画モードに合わせておくと自動的にライブビューを開始するカメラが提案されている。しかし、ライブビュー中のレンズ交換の際、撮像素子を保護するためにライブビューを終了させてしまうと、不都合が生じる。すなわち、この種のカメラでは自動的にライブビューを開始することでユーザが操作を必要としないことを想定している。よってレンズ交換を終えてユーザがライブビューを再開したいと思っても、どのようにしてライブビューを開始させればよいのかが分からなくなってしまう。
【０００８】
従来の装置では、レンズが無い状態で敢えてライブビューを再開する場合の処理について何ら解決手段を提案していない。
また、レンズ交換時にレンズマウントのロック解除ボタンが押されたことをきっかけにライブビューを終了する装置では、レンズが無い状態でユーザがライブビュー開始ボタンを押すとライブビューが可能である。そしてライブビューを開始した状態で電源を切ると、次回に電源を入れたときに自動的にライブビューが始まる。しかし、電源投入時にレンズが装着されていないと、ライブビューが始まらないままで、通常の光学ファインダを利用する状態となるに過ぎない。よって動画モードをもったカメラでは、ライブビューを開始させるようにユーザに操作を促すことが望ましい。また、レンズ交換時に撮像素子を保護するためにライブビューを終了させた場合、レンズ交換後にはライブビューを開始するための操作をユーザに提示することが好ましい。
【０００９】
本発明の目的は、レンズ交換式の撮像装置において、レンズ以外の光学部品を本体部に装着してライブビューを行いたい場合に、分かり易い操作を提供することにある。
【課題を解決するための手段】
【００１０】
本発明は前記課題を解決するために、画像を表示装置に表示させるライブビューの機能を有するレンズ交換式の撮像装置であって、ライブビューを手動で開始させるための操作部材と、モードを選択するためのモード選択部材と、前記モード選択部材によって選択されたモードに応じて自動的にライブビューを開始させ、本体部の状態の検知に応じて自動的にライブビューを終了させるように制御を行う制御手段を備える。そして前記制御手段はレンズが本体部に装着されていない状態の検知に応じてライブビューを終了させた場合、ライブビューを開始させない状態で、前記操作部材によってライブビューを開始できる旨を前記表示装置に表示させる。
【発明の効果】
【００１１】
本発明によれば、ライブビュー時にユーザがレンズを着脱した際、撮像素子の保護のためにライブビューが自動的に終了した場合、ユーザに対してライブビューを開始するための方法を分かり易く提示することができる。
【図面の簡単な説明】
【００１２】
【図１】本発明の一実施形態に係るカメラの外観例を示す図である。
【図２】図１のカメラの回路構成例を示すブロック図である。
【図３】ライブビュー開始操作について処理例を示すフローチャートである。
【図４】ライブビュー開始要求が生じた場合の処理例を示すフローチャートである。
【図５】ライブビュー動作の開始を判定する処理例を示すフローチャートである。
【図６】ライブビュー終了要求が生じたときの処理例を示すフローチャートである。
【図７】警告表示の一例を示す図である。
【発明を実施するための形態】
【００１３】
以下に本発明の実施形態を説明する。図１は本実施形態に係る撮像装置の一例としてのカメラ１００を示し、図１（ａ）が平面図、図１（ｂ）が背面図である。
レンズ１０１はカメラ１００の本体部に対して着脱可能な交換レンズである。本体部の上面に設けられたレリーズボタン１０２はプッシュボタンにより2段階に押し込むことで後述の第１スイッチ（ＳＷ１と記す）２１３及び第２スイッチ（ＳＷ２と記す）２１４をオン状態にすることができる操作部材である。レリーズボタン１０２の近くに位置した電子ダイヤル１０３は、回転方向と回転量を検知することができる操作部材である。また、ＩＳＯボタン１０４はＩＳＯ設定値の変更時に用いる操作部材である。
【００１４】
モードダイヤル１０５は、回転によって所望のモード、例えば、Tv優先、Av優先、全自動、動画モード等の撮影モードを切り替えるための操作部材である。モードダイヤル１０５を動画モードの位置に切り替えることでカメラ１００が自動的にライブビューを開始する。電源レバー１０６はカメラ１００への電源投入や遮断を行うための電源操作部材である。モードダイヤル１０５が動画モードの位置に設定されている場合に撮影者が電源を入れると自動的にカメラ１００がライブビューを開始する。
【００１５】
本体部の背面にて右上方に位置したＦＰＳＥＬボタン１０７は測距点を選択するときに用いる操作部材である。その左横のＡＥＬボタン１０８はＡＥロックを行うときに用いる操作部材である。本体部の背面にて左上方に位置したＤＩＳＰボタン１０９は、後述の背面ディスプレイ１１９で表示する内容を切り替えるときに用いる操作部材である。その左横のＭＥＮＵボタン１１０は、ＧＵＩ（Graphical User Interface）表示によるメニュー画面を背面ディスプレイ１１９に表示するときに用いる操作部材である。
【００１６】
本体部の前面に設けられたレンズ着脱ボタン１１１は、レンズを交換するときにレンズマウントのロックピンを解除するための操作部材である。本実施形態ではユーザがレンズ着脱ボタン１１１を押したことを検知して、これを直ちにレンズの着脱と判断してはいない。
本体部の背面に設けられたＡｖＣｏｍｐボタン１１２は、電子ダイヤル１０３を回すときに、該ボタンを一緒に押すことで操作対象を変更するための操作部材である。ＥＤボタン１１３は動画モードにおいて動画記録の開始や終了をユーザが指示するための操作部材である。またＥＤボタン１１３は、動画モードにてユーザがレンズを着脱したためにライブビューが終了した場合、これを押すことでライブビューを開始させることができる操作部材も兼ねている。レンズの着脱時には、「ＥＤボタンを押すとライブビューを始めます」等のメッセージが背面ディスプレイ１１９に表示される。
【００１７】
ＳＥＴボタン１１４は十字キー１１６とともにメニュー等のＧＵＩ操作時に使用される操作部材である。カード蓋１１５はフラッシュメモリカード等の記録媒体を格納するためのスロットを保護する蓋である。ごみ箱ボタン１１７は撮影した画像のデータを削除する際に用いる操作部材である。ＰＬＡＹボタン１１８は撮影した画像の表示に用いる操作部材である。背面ディスプレイ１１９にはＴＦＴや有機ＥＬ等による表示パネルが使用される。
【００１８】
図２はレンズ交換式カメラ１００の回路構成例を示す図である。左上方に矩形枠で囲んだ部分２０５（ＬＥＮＳ参照）が交換レンズ側の構成部を示し、その他の部分がカメラ側の構成部を示す。
交換レンズには、絞り駆動装置２００（ＥＭＤ参照）、エンコーダ２０１（ＥＮＣＦ参照）、モータ２０２（ＬＭＴＲ参照）、レンズ制御用マイクロプロセッサ（以下、ＬＰＵと記す）２０３が設けられている。エンコーダ２０１はモータ２０２によるレンズの駆動位置を読み取り、検出結果をＬＰＵ２０３に送出する。モータ２０２はレンズのフォーカス駆動を行うための駆動源であり、ＬＰＵ２０３からの信号によって制御される。
【００１９】
カメラ１００の制御用マイクロプロセッサ（以下、ＭＰＵと記す）２０７は、ＲＯＭ又はフラッシュメモリ、ＥＥＰＲＯＭ等の不揮発性メモリとＲＡＭのような揮発性メモリとを備える。ＭＰＵ２０７には、各種Ｉ／Ｏ回路が組み込まれたワンチップマイコンを使用することができる。よって図ではＭＰＵ２０７とその他の回路とのインタフェイスの詳細を省略している。例えば、焦点調節に用いるＡＦセンサ２１７(ＡＦ−ＳＮＳ参照）とＭＰＵ２０７との接続について図中では実線で繋いでいるが、実際はシリアル通信インタフェイスにより両者が接続されている。
【００２０】
ＡＦセンサ２１７は、レンズ光学系からの光束が分割されて撮像面と光学的に等価な位置とされた面上に配置されており、ＭＰＵ２０７からのシリアル通信による制御指令に従って作動する。ＡＦセンサ２１７は位相差ＡＦで利用するための焦点検出データを、シリアル通信でＭＰＵ２０７に伝える。
交換レンズのドライバ（以下、ＬＣＭと記す）２０４は、ＭＰＵ２０７からの制御指示に従って交換レンズとの接続端子に対して電源供給を行い、シリアル通信の中継を行う等の役目をもつ。ドライバ２０４はレンズマウントの電子接点の通電状況に基づいてレンズ装着の有無をＭＰＵ２０７に伝える。
図中にＭＮＴで示す接点２２３は電子接点であり、ＬＰＵ２０３とＬＣＭ２０４を電気的に接続している。
【００２１】
液晶表示装置を駆動するディスプレイドライバ（以下、ＤＤＲと記す）２１５はＭＰＵ２０７に接続され、ライブビューや動画撮影の際に画像を表示し、エラー発生時にメッセージ等を液晶表示部２１６に表示するための回路部である。ＤＤＲ２１５はＭＰＵ２０７から制御指示に従って動作する。また、ＤＤＲ２１５はスイッチ入力ポートを備えており、ＭＰＵ２０７に対してスイッチの検知状態を通知することができる。
符号２１３で示す第１スイッチＳＷ１と符号２１４で示す第２スイッチＳＷ２は、図１のレリーズボタン１０２において既述したスイッチである。これらはＭＰＵ２０７の割り込みポートに接続されており、それらのＯＮ／ＯＦＦ状態が検知される。
【００２２】
カメラ１００の動作に用いるモータ２１２（ＭＴＲ１参照）は、ＭＰＵ２０７からドライバを介して駆動制御され、モータ２１２の正転によって撮影動作が行われ、逆転によってストロボのポップアップ動作が行われる。符号２０８で示すポート（ＳＭＧ１参照）と、符号２０９で示すポート（ＳＭＧ２参照）は、カメラ１００のシャッタ走行を制御するための信号出力ポートである。これらは増幅器を通してそれぞれの電磁石２１０（ＭＧ１参照）、２１１（ＭＧ２参照）に接続されている。
【００２３】
ＥＤスイッチ２２１は図１のＥＤボタン１１３に対応し、ライブビューの開始や終了、動画の記録開始や終了を指示するためのスイッチである。また、スイッチ２１９はカメラ１００の電源投入及び遮断を行うための電源スイッチである。ＣＶＲスイッチ２２０はカメラ１００にフラッシュメモリカード等を取り付けるためのスロットに設けられた蓋の開閉状態を検知するスイッチである。
【００２４】
図中にＳＷＳとしてまとめて示すスイッチ２２２はカメラ１００に備わっている各種スイッチであり、例えば、図１の十字キー１１６等に対応したスイッチが含まれる（個別には示していない）。以上のスイッチによる操作指示はＭＰＵ２０７に入力される。
ＤＤＲ２１５に付設された複数のスイッチ２１８（ＭＯＤＥ参照）は、カメラ１００の撮影モードを切り替えるためのモード選択スイッチであり、図１のモードダイヤル１０５に対応したスイッチである。モードダイヤル１０５の位置がどこにあるかは４つの接点によりグレーパターンを構成しており、各スイッチのオン／オフ状態の組み合せによって、モード位置が識別される。
撮像素子（以下、ＣＭＯＳと記す）２０６は、レンズを通して被写体を撮像し、撮影画像に係る信号を処理してＭＰＵ２０７に送出する。ＣＭＯＳ２０６には、その周囲温度を測定するために温度センサ２２４（ＴＭＰＭ参照）が配置されており、温度検出情報がＭＰＵ２０７に通知される。
【００２５】
以下では、上記構成のカメラ１００において本発明に関わる動作を説明する。先ずモードダイヤル１０５を動画モードの位置に合わせるとライブビューが始まり、背面ディスプレイ１１９には、ＣＭＯＳ２０６上に結像した画像が表示される。その後、ユーザがＥＤボタン１１３を一度押すことで動画記録が開始し、背面ディスプレイ１１９の表示内容はライブビュー中の表示から動画記録中の表示に変わる。そして動画記録中にユーザがＥＤボタン１１３を押すことで動画記録が終了し、ライブビューの状態に戻る。
【００２６】
ライブビュー中にレンズ１０１がカメラ本体部から外されると、ライブビューを終了する。図７は、このときに背面ディスプレイ１１９に表示されるメッセージの一例を示しており、レンズ装着の確認や、ＥＤボタン１１３の押下によるライブビュー機能の開始についてユーザに通知される。モードダイヤル１０５が動画モードの位置とされた状態でユーザが電源を切断し、レンズを外した状態で再び電源を入れた場合も同様である。
【００２７】
図７のメッセージ表示が行われる状態では、ＥＤボタン１１３でライブビューを開始させる操作や、電源レバー１０６で電源を切る操作、モードダイヤル１０５で他のモードに切り替える操作のみが可能であり、それ以外の操作指示を装置は受け付けない。ユーザがカード蓋１１５を開けてフラッシュメモリカードを取り換える操作や、不図示の電池蓋を開けて電池を交換する操作も可能であるが、蓋を開けたときは電源の遮断処理が行われるので電源レバー１０６で電源を切る操作の場合と同様である。蓋を閉めた状態で電源投入が行われると、図7のメッセージが表示される。なお該メッセージと併せて音声により同様の通知を行ってもよい。
【００２８】
カメラ１００の本体部からレンズを外した状態で、動画モードにて図７のメッセージが表示されている最中にＥＤボタン１１３が押されると、ライブビューが開始する。電子接点２２３を介してレンズ通信を行えないような光学系部品がカメラ１００のマウントに取り付けられている場合には、この操作でライブビューが開始することになる。例えばレンズ通信が行えない光学系部品を用いて動画記録等をユーザが行いたい場合があり、ライブビュー中にユーザがＥＤボタン１１３を押せば所望の動作が開始する点では、レンズ通信が可能なレンズを用いる場合と同じである。
【００２９】
動画記録中にＥＤボタン１１３が押されると動画記録が終了し、ライブビューの状態に戻る。このとき、状態変化としてライブビューに移行するというイベントが生じるが、動画記録からの戻りでライブビューに移行しているという判定が下される。こうすることで、カメラの本体部にレンズが装着されていないときにライブビューを開始する代わりに図７の表示を行う処理が起動しないように配慮している。また、ライブビューを長時間に亘って続けたことでカメラの内部温度が上昇して基準温度を超え、ライブビューを継続できない場合にもライブビューが停止する。このときにもライブビューを再開するためにはユーザがＥＤボタンを押す必要がある。ただし、カメラ内部の温度が基準温度以下に低下してからでないとライブビューを再開できないので、ユーザが操作を留保するように、「温度上昇のためライブビューを中断しました。」といったメッセージを表示させることが好ましい。
【００３０】
以上の動作を実現するためのプログラムの詳細について、図３乃至６のフローチャートを用いて説明する。なお、これら処理はＭＰＵ２０７のＩ／Ｏポートに接続された各種ハードウェアを、ＲＯＭに格納されたプログラムに従って処理することで実現される。各フローチャートに示す処理を理解するため、ＲＯＭに格納されたプログラムの構成について概要を説明する。プログラムは、ボタン操作指示やレンズの有無等の判定結果に基づいてライブビューを開始させ又は終了させる処理を直接的に実行しないよう記述されている。ライブビューの開始や終了を実行させる場合に、その要求を生成するプログラムが一部に存在し、この要求を受け付ける部分のプログラムの実行によって、実際にライブビューの開始や終了の制御が行われる。これにより、既にライブビューが行われている最中に、ライブビューの開始条件が重ねて発生したとしても、冗長な開始動作が行われることはない。以下の説明において、図４のステップ４００での「ライブビュー開始要求」と、図６のステップ６００での「ライブビュー終了要求」が、そうした要求を受け付ける処理の始まりを示している。一方、図３及び図５はカメラ１００の操作をきっかけとして始まる処理を示している。
【００３１】
先ず図３に従って処理の流れを説明する。符号３００で示す「ライブビュー開始操作」は、ライブビューの開始操作の指示をカメラ１００が受けたときの処理の先頭を示す。ここでライブビューの開始操作については、以下の状況において該当する場合がある。
・ユーザがモードダイヤル１０５を動画モードの位置に合わせたとき。
・ユーザがＥＤボタン１１３を押したとき。
・電源の切断状態からユーザが電源レバー１０６を電源ＯＮの位置に動かしたとき。
・オートパワーオフ状態からの起動時等。
以上の操作等があった場合に本処理が呼び出される。
【００３２】
ステップ３０１にて、ＭＰＵ２０７はモードダイヤル１０５が動画モードの位置になっているか否かを判定する。その結果、選択されたモードが動画モードでなければステップ３０９の「戻る」に移行する。また、選択されたモードが動画モードであればステップ３０２の処理に進む。ここでは、ＧＵＩが平常表示であるか否かをＭＰＵ２０７が判定する。ここで平常表示とは、背面ディスプレイ１１９にてエラー発生を伝える画面等の特別な表示が行われていない状態を意味する。例えば、背面ディスプレイ１１９がカメラ１００の設定値を表示しているか、又は全く何も表示していないといった状況が挙げられる。現時点の表示状態が平常表示でないと判定された場合、ステップ３０９に進む。また現時点の表示状態が平常表示であると判定された場合、次のステップ３０３に進む。
【００３３】
ＭＰＵ２０７は、温度センサ２２４の検出情報に基づいて、ＣＭＯＳ２０６の温度がライブビューを行える温度であるか否かを判定する。ＣＭＯＳ２０６はライブビューのために撮像動作を連続的に行うが、そのために電力を供給し続けていると温度が上昇してくる。この温度はカメラ１００が置かれた環境に依存するので、温度センサ２２４の検出結果に基づいて判定される。その結果、温度が低く、ライブビューの禁止温度以下であると判定された場合、ステップ３０５に進む。また、温度が禁止温度より高いと判定された場合、ステップ３０４に進む。ここでは温度が禁止温度に達した場合の警告表示が行われる。つまり、温度上昇に起因してライブビューを終了させたことを、ユーザへのメッセージとして背面ディスプレイ１１９に表示する処理が行われる。そしてステップ３０８に進む。
【００３４】
ステップ３０３、３０４の処理は、ステップ３００から３０７の処理に至るまでの間にあるので、温度が禁止温度以下になるまでの間、ユーザがＥＤボタン１１３を押しても手動ではライブビューの開始操作ができなくなる。
ステップ３０５にて、ＭＰＵ２０７は既にライブビューが行われているか否かを判定する。その結果、ライブビュー中であるとの判定が下された場合、ステップ３０９に進むが、そうでなければ次のステップ３０６に進む。ここで、ＭＰＵ２０７は電源が投入された状態であるか否かを判定する。その結果、電源オフの場合、ステップ３０８に進むが、そうでなければステップ３０７に進み、ＭＰＵ２０７はライブビュー開始要求を発行する。つまり後述するライブビュー開始要求を受ける処理に対して制御指示が行われる。
【００３５】
またステップ３０８にてＭＰＵ２０７はライブビュー終了要求を発行する。つまり後述するライブビュー終了要求を受ける処理に対して制御指示が行われる。
ステップ３０２、３０５、３０７、３０８からリターンステップ３０９に到達した場合、本図の処理が終了する。
【００３６】
次に図４を用いて、ライブビュー開始要求が生じた場合の処理を説明する。
符号４００で示す「ライブビュー開始要求」は、プログラムがライブビュー開始要求を受けたときの処理の先頭である。
ステップ４０１にて、ＭＰＵ２０７は現時点で動画記録中であるか否かを判定する。その結果、動画記録中と判定された場合には、動画記録を終わりにしてライブビュー状態に戻るために、ステップ４０５の「動画記録終了」に進む。動画記録中でないとの判定が下された場合にはステップ４０２の「動画モード  ＡＮＤ  レンズ装着  ？」（ＡＮＤは複数の条件が全て満たされる論理積演算を表す）に進む。ここでＭＰＵ２０７は、現時点のモードが動画モードであって、かつ本体部にレンズが装着されているか否かを判定する。動画モードの判別は既に図３のステップ３０１で行っているが、モードの選択情報は操作部材の位置に依存する情報であるため冗長に扱っている。カメラ１００の本体部にレンズが装着されていない場合や、現時点のモードが動画モードでない場合、ステップ４０７の「動画モード  ＡＮＤ  レンズ無し  ＡＮＤ  レンズ無し警告中  ？」に進む。また、ステップ４０２での両条件を満たしていれば、ステップ４０３の「ライブビュー動作開始」に進む。ライブビュー動作が開始され、この状態ではミラーアップ動作やシャッタの開放によって、ＣＭＯＳ２０６にレンズからの光束が届くようになる。
【００３７】
次のステップ４０４では、ライブビュー開始要求を出したプログラムに対してライブビュー中になった旨の通知を返す処理が行われる。その後、ステップ４１２に進む。
一方、ステップ４０５で動画記録の終了処理が行われた場合にはステップ４０６に進み、動画記録中からライブビュー中への状態遷移に伴う処理が行われた後、ステップ４０４に進む。
【００３８】
また、ステップ４０２から４０７に到達した場合、ＭＰＵ２０７は、現時点のモードが動画モードであって、本体部にレンズが装着されておらず、しかもレンズ無しの警告表示中であるか否かを判定する。これら３条件が成立してればステップ４０３に進み、レンズが無い状態でもライブビューの開始処理が行われる。また、３条件の１つでも満たされない場合、ステップ４０８の「電源ＯＦＦ  ＯＲ  エラー状態  ＯＲ  レンズ有で電源ＯＦＦ途中  ？」（ＯＲは複数の条件のうち、いずれか１つが満たされる論理和演算を表す）に進む。ここでＭＰＵ２０７は、電源のオフ状態か否か、エラー状態か否か、レンズの装着状態であっても電源のオフ状態への移行途中であるか否か、について判定する。いずれかの１つでも条件が成立すれば、ステップ４１２に進む。いずれの条件も成立しない場合、ステップ４０９の「ライブビュー不可  レンズ無し警告」に進む。レンズがカメラ１００の本体部に装着されていると認識されないため、ライブビューを行えない旨のメッセージが背面ディスプレイ１１９上に警告表示される。
【００３９】
そしてステップ４１０に進み、レンズが本体部に装着されていない旨の警告表示が行われる。その後に操作可能なスイッチ類は動作状態に応じて異なるため、状態遷移の処理が行われる。例えば、この状態でユーザが第１スイッチ２１３を押し続けたとしても、測光処理を止めることや、電源レバー、ＥＤボタン、モードダイヤル、カード蓋、電池蓋以外の部材の操作を受け付けないようにする処理等が行われる。
【００４０】
次のステップ４１１では、ライブビューの開始要求を出したプログラムに対して結果的に通常撮影となった旨の通知を返す処理が行われ、ステップ４１２に進む。リターンステップ４１２に到達した場合、本図の処理が終了する。
次に、ユーザがＥＤボタン１１３を押してライブビュー開始操作を行ったときにライブビュー動作を開始するか否かを判定する処理について、図５を用いて説明する。
【００４１】
符号５００で示す「ＥＤボタンＯＮ」はＥＤボタン１１３が押された時の処理の先頭である。ステップ５０１にてＭＰＵ２０７は、現時点でライブビュー中か否かを判定する。ライブビュー中にＥＤボタン１１３が押されている場合、ステップ５０２の「動画記録開始」に進む。そして動画記録の開始後に、ステップ５０３に進む。
【００４２】
ステップ５０１でライブビュー状態でないとの判定が下された場合、ステップ５０４の「動画記録状態？」に進む。ここでＭＰＵ２０７は現時点で動画記録中であるか否かを判定する。動画記録中にＥＤボタン１１３が押された場合にはステップ５０５に進み、ＭＰＵ２０７の指示に従って動画記録が終了する。動画記録を終えてライブビューへ戻るために、ステップ５０６ではライブビュー開始要求が発行される。一方、ステップ５０４で動画記録中でないとの判定が下された場合にはステップ５０７の「通常撮影状態？」に進む。ここでＭＰＵ２０７は現時点で通常撮影状態か否かを判定する。その結果、通常撮影状態の場合、ステップ５０６に進むが、通常撮影状態でない場合にはステップ５０８の「警告表示状態？」に進む。ここでＭＰＵ２０７は現時点で背面ディスプレイ１１９上に警告表示が行われているか否かを判定する。警告表示状態であると判定された場合には、ＥＤボタン１１３の操作によってライブビューを開始させるために、ステップ５０６に進むが、そうでなければステップ５０３に進む。ステップ５０２、５０６、５０８からリターンステップ５０３に到達した場合、本図の処理が終了する。
【００４３】
次に、ライブビュー終了要求が生じたときの処理について、図６を用いて説明する。
符号６００で示す「ライブビュー終了要求」は、プログラムがライブビュー終了要求を受けたときの処理の先頭である。ステップ６０１にてＭＰＵ２０７はライブビューの判定を行う。その結果、現時点でライブビュー中でなければステップ６０７の「通常撮影通知」に進む。また、現時点でライブビュー中の場合、ステップ６０２の「動画モード？」に進む。ＭＰＵ２０７はモードダイヤル１０５が動画モードの位置にある否かを判定する。その結果、動画モードでない場合、ステップ６０６の「ライブビュー動作終了」に進む。
【００４４】
一方、ステップ６０２にて動画モードの場合、ステップ６０３の「電源ＯＦＦ  ＯＲ  エラー状態  ＯＲ  レンズ有で電源ＯＦＦ途中？」に進む。ここで、ＭＰＵ２０７は、電源がオフ状態か否か、エラー状態か否か、レンズ装着時にて電源オフの途中であるか否かについて判定する。いずれかの条件が成立した場合、ステップ６０６に進む。また各条件が不成立の場合、ステップ６０４の「ライブビュー不可  レンズ無し警告」に進む。ここで、レンズが本体部に装着されていないため、ライブビューを行えない旨の警告を出す通知処理が行われる。そして次のステップ６０５では、レンズ無しの警告中に状態遷移の処理が行われ、ステプ６０６に進む。
【００４５】
ステップ６０２、６０３や６０５からステップ６０６に到達した場合、ライブビュー動作を終了させるために機械的な構成部の制御等がＭＰＵ２０７の指示に従って行われる。そしてステップ６０７に進み、ライブビュー動作が終了し、ミラーダウン等が行われて通常撮影状態になったことが、ライブビュー終了要求に対する返信として通知される。次のリターンステップ６０８で本図の処理が終了する。
【００４６】
以上のように、動画モードをもつ一眼レフカメラにおいて、モードダイヤル等のモード選択部材を使ってユーザがこれを動画モードの位置に合わせるだけで簡単にライブビューを利用できる。この場合、レンズの着脱時には撮像素子を保護するためにライブビューを終了させることが好ましい。そして本実施形態によれば、レンズアダプタ等を利用する場合に、手動操作でどのようにすればライブビューを再開出来るかをユーザに分かり易く表示することができる。
【符号の説明】
【００４７】
１００  カメラ
１０１  レンズ
１０２  レリーズボタン
１０５  モードダイヤル
１０６  電源レバー
１１１  レンズ着脱ボタン
１１３  ＥＤボタン
１１９  背面ディスプレイ
２０３  レンズ制御用マイクロプロセッサ
２０４  交換レンズのドライバ
２０５  ＬＥＮＳ
２０６  撮像素子
２０７  カメラ制御用マイクロプロセッサ
２１３  ＳＷ１
２１４  ＳＷ２
２１５  ディスプレイドライバ
２１６  液晶表示部
２１８  モード選択スイッチ
２１９  電源スイッチ
２２１  ＥＤスイッチ
２２３  電子接点
２２４  温度センサ
【図１】
2010219999.tif 000003
【図２】
2010219999.tif 000004
【図３】
2010219999.tif 000005
【図４】
2010219999.tif 000006
【図５】
2010219999.tif 000007
【図６】
2010219999.tif 000008
【図７】
2010219999.tif 000009